【手続補正書】
【提出日】平成27年4月16日(2015.4.16)
【手続補正１】
【補正対象書類名】特許請求の範囲
【補正対象項目名】全文
【補正方法】変更
【補正の内容】
【特許請求の範囲】
【請求項１】
ネットワークを介して撮像装置と通信し、前記撮像装置を制御する端末装置であって、
前記撮像装置を操作するための制御コマンドとユーザ認証のための認証情報とを生成する生成手段と、
他のユーザまたは異なるグループに属するユーザが前記撮像装置を操作することができないように前記他のユーザまたは異なるグループに属するユーザの操作権限を無効にするための無効化コマンドを生成する権限変更手段と、
無効に設定された前記他のユーザまたは異なるグループに属するユーザの操作権限を、前記他のユーザまたは異なるグループに属するユーザが前記撮像装置を操作することが可能なように、前記他のユーザまたは異なるグループに属するユーザの操作権限を有効にするための有効化コマンドを生成する権限復帰手段と、
前記撮像装置を操作する際に、前記無効化コマンドを前記撮像装置に送信し、前記撮像装置を操作するための制御コマンドと認証情報とを前記撮像装置に送信し、前記撮像装置の操作が終了した後に、前記有効化コマンドを前記撮像装置に送信する送信手段と、
を有することを特徴とする端末装置。
【請求項２】
前記撮像装置に設定されている操作権限を取得する取得手段と、
取得した前記操作権限のうち、設定を変更するユーザまたはグループの操作権限を記憶する記憶手段と、を更に有し、
前記権限変更手段は、前記撮像装置を操作する際に、前記記憶手段に記憶されているユーザまたはグループの操作権限によって前記撮像装置を操作することができないように当該操作権限を無効にするための無効化コマンドを生成し、
前記権限復帰手段は、前記撮像装置の操作が終了した後に、前記記憶手段に記憶されているユーザまたはグループの操作権限を、前記撮像装置の操作が可能なように、前記ユーザまたはグループの操作権限を有効にするための有効化コマンドを生成することを特徴とする請求項１に記載の端末装置。
【請求項３】
撮像装置を操作するための制御コマンドとユーザ認証のための認証情報と、他のユーザまたは異なるグループに属するユーザが前記撮像装置を操作することができないように前記他のユーザまたは異なるグループに属するユーザの操作権限を無効にするための無効化コマンドと、無効に設定された前記他のユーザまたは異なるグループに属するユーザの操作権限を、前記他のユーザまたは異なるグループに属するユーザが前記撮像装置を操作することが可能なように、前記他のユーザまたは異なるグループに属するユーザの操作権限を有効にするための有効化コマンドとを、端末装置からネットワークを介して受信し、前記端末装置によって制御される撮像装置であって、
前記認証情報により認証されたユーザに前記制御コマンドによる前記撮像装置の操作権限が与えられている場合に、前記制御コマンドに従って撮像手段を制御する制御手段と、
前記撮像手段の制御を実行する際に、前記無効化コマンドによって、他のユーザまたは異なるグループに属するユーザが操作することができないように前記他のユーザまたは異なるグループに属するユーザの操作権限を無効にし、前記撮像手段の制御の終了後に、前記有効化コマンドによって前記他のユーザまたは異なるグループに属するユーザが操作することができるように、無効に設定された前記他のユーザまたは異なるグループに属するユーザの操作権限を有効にする権限管理手段と、
を有することを特徴とする撮像装置。
【請求項４】
前記制御手段は、一の端末装置から送信された前記制御コマンドに従って前記撮像手段を制御している間、前記権限管理手段によって前記操作権限が無効に設定された前記他のユーザまたは異なるグループに属するユーザの端末装置から送信される制御コマンドに基づく制御を行わないことを特徴とする請求項３に記載の撮像装置。
【請求項５】
一の端末装置から送信された前記制御コマンドに従った前記撮像手段の制御が終了した後に、前記制御手段は、前記権限管理手段によって有効に設定された前記操作権限に従って前記他のユーザまたは異なるグループに属するユーザの端末装置から送信される制御コマンドに基づく制御を行なうことを特徴とする請求項３または４に記載の撮像装置。
【請求項６】
ネットワークを介して撮像装置と通信し、前記撮像装置を制御する端末装置の制御方法であって、
権限変更手段が、前記撮像装置を操作する際に、他のユーザまたは異なるグループに属するユーザが前記撮像装置を操作することができないように前記他のユーザまたは異なるグループに属するユーザの操作権限を無効にするための無効化コマンドを前記撮像装置に送信する権限変更工程と、
撮像装置操作手段が、前記撮像装置を操作するための制御コマンドと認証情報とを前記撮像装置に送信する撮像装置操作工程と、
権限復帰手段が、前記撮像装置の操作が終了した後に、無効に設定された前記他のユーザまたは異なるグループに属するユーザの操作権限を、前記他のユーザまたは異なるグループに属するユーザが前記撮像装置を操作することが可能なように、前記他のユーザまたは異なるグループに属するユーザの操作権限を有効にするための有効化コマンドを生成する権限復帰工程と、
を有することを特徴とする端末装置の制御方法。
【請求項７】
撮像装置を操作するための制御コマンドとユーザ認証のための認証情報と、他のユーザまたは異なるグループに属するユーザが前記撮像装置を操作することができないように前記他のユーザまたは異なるグループに属するユーザの操作権限を無効にするための無効化コマンドと、無効に設定された前記他のユーザまたは異なるグループに属するユーザの操作権限を、前記他のユーザまたは異なるグループに属するユーザが前記撮像装置を操作することが可能なように、前記他のユーザまたは異なるグループに属するユーザの操作権限を有効にするための有効化コマンドとを、端末装置からネットワークを介して受信し、前記端末装置によって制御される撮像装置の制御方法であって、
権限管理手段が、前記無効化コマンドによって、他のユーザまたは異なるグループに属するユーザが操作することができないように前記他のユーザまたは異なるグループに属するユーザの操作権限を無効にする第１の権限管理工程と、
制御手段が、前記認証情報により認証されたユーザに前記制御コマンドによる前記撮像装置の操作権限が与えられている場合に、前記制御コマンドに従って撮像手段を制御する制御工程と、
前記権限管理手段が、前記撮像手段の制御の終了後に、前記有効化コマンドによって前記他のユーザまたは異なるグループに属するユーザが操作することができるように、無効に設定された前記他のユーザまたは異なるグループに属するユーザの操作権限を有効にする第２の権限管理工程と、
を有することを特徴とする撮像装置の制御方法。
【請求項８】
コンピュータを、請求項１または２に記載の端末装置の各手段として機能させるためのプログラム。
【請求項９】
コンピュータを、請求項３乃至５のいずれか１項に記載の撮像装置の各手段として機能させるためのプログラム。
【請求項１０】
撮像装置と、ネットワークを介して前記撮像装置と通信し、前記撮像装置を制御する複数の端末装置と、を有する撮像システムであって、
前記複数の端末装置を構成する一の端末装置は、
前記撮像装置を操作する際に、他のユーザまたは異なるグループに属するユーザが前記撮像装置を操作することができないように前記他の端末装置の操作権限を無効にするための無効化コマンドを前記撮像装置に送信する権限変更手段と、
前記撮像装置を操作するための制御コマンドとユーザ認証のための認証情報とを前記撮像装置に送信する撮像装置操作手段と、
前記撮像装置の操作が終了した後に、無効に設定された前記他のユーザまたは異なるグループに属するユーザの操作権限を、前記他のユーザまたは異なるグループに属するユーザが前記撮像装置を操作することが可能なように、前記他のユーザまたは異なるグループに属するユーザの操作権限を有効にするための有効化コマンドを前記撮像装置に送信する権限復帰手段と、を有し、
前記撮像装置は、
前記認証情報により認証されたユーザに前記制御コマンドによる前記撮像装置の操作権限が与えられている場合に、前記制御コマンドに従って撮像手段を制御する制御手段と、
前記無効化コマンドによって、前記他のユーザまたは異なるグループに属するユーザが操作することができないように前記他の端末装置の操作権限を無効にし、無効に設定された前記他のユーザまたは異なるグループに属するユーザの操作権限を、前記他のユーザまたは異なるグループに属するユーザが操作することができるように前記有効化コマンドによって有効にする権限管理手段と、
を有することを特徴とする撮像システム。
【請求項１１】
撮像装置と、ネットワークを介して前記撮像装置と通信し、前記撮像装置を制御する複数の端末装置と、を有する撮像システムの制御方法であって、
前記複数の端末装置を構成する一の端末装置で実行される処理は、
権限変更手段が、前記撮像装置を操作する際に、他のユーザまたは異なるグループに属するユーザが前記撮像装置を操作することができないように前記他のユーザまたは異なるグループに属するユーザの操作権限を無効にするための無効化コマンドを前記撮像装置に送信する権限変更工程と、
撮像装置操作手段が、前記撮像装置を操作するための制御コマンドとユーザ認証のための認証情報とを前記撮像装置に送信する撮像装置操作工程と、を有し、
前記撮像装置で実行される処理は、
権限管理手段が、前記無効化コマンドによって、前記他のユーザまたは異なるグループに属するユーザが操作することができないように前記他のユーザまたは異なるグループに属するユーザの操作権限を無効にする第１の権限管理工程と、
制御手段が、前記認証情報が登録されている情報に一致する場合に、前記制御コマンドに従って撮像手段を制御する制御工程と、を有し、
前記一の端末装置で実行される処理は、更に、
権限復帰手段が、前記撮像装置の操作が終了した後に、無効に設定された前記他のユーザまたは異なるグループに属するユーザの操作権限を、前記他のユーザまたは異なるグループに属するユーザが前記撮像装置を操作することが可能なように、前記他のユーザまたは異なるグループに属するユーザの操作権限を有効にするための有効化コマンドを前記撮像装置に送信する権限復帰工程を有し、
前記撮像装置で実行される処理は、更に、
前記権限管理手段が、無効に設定された前記他のユーザまたは異なるグループに属するユーザの操作権限を、前記他のユーザまたは異なるグループに属するユーザが操作することができるように前記有効化コマンドによって有効にする第２の権限管理工程を有する
ことを特徴とする撮像システムの制御方法。
【手続補正２】
【補正対象書類名】明細書
【補正対象項目名】発明の名称
【補正方法】変更
【補正の内容】
【発明の名称】撮像システム、撮像システムの制御方法、端末装置、撮像装置、端末装置の制御方法、撮像装置の制御方法、およびプログラム
【手続補正３】
【補正対象書類名】明細書
【補正対象項目名】０００１
【補正方法】変更
【補正の内容】
【０００１】
本発明は、撮像システム、撮像システムの制御方法、端末装置、撮像装置、端末装置の制御方法、撮像装置の制御方法、およびプログラムに関するものである。
【手続補正４】
【補正対象書類名】明細書
【補正対象項目名】０００４
【補正方法】変更
【補正の内容】
【０００４】
例えば、特許文献１にはネットワークカメラに対する制御要求及び制御権を管理する映像入力システムが開示されている。この映像入力システムは、カメラ制御権を要求した各クライアントが時間の経過に従ってネットワークカメラの制御権を順次獲得し、カメラ操作を可能とするものである。特許文献２にはカメラ制御システムが開示されている。各クライアントはカメラサーバに制御権限獲得要求およびクライアントの識別情報を送信し、カメラサーバから制御できるまでの待ち時間およびこの待ち時間経過後に所定時間制御が許可される制御許可時間の返信を受信する。そして、各クライアントは待ち時間経過後に制御許可時間だけカメラ操作を行うことが開示されている。
【手続補正５】
【補正対象書類名】明細書
【補正対象項目名】０００６
【補正方法】削除
【補正の内容】
【手続補正６】
【補正対象書類名】明細書
【補正対象項目名】０００９
【補正方法】変更
【補正の内容】
【０００９】
本発明の端末装置は、ネットワークを介して撮像装置と通信し、前記撮像装置を制御する端末装置であって、
前記撮像装置を操作するための制御コマンドとユーザ認証のための認証情報とを生成する生成手段と、
他のユーザまたは異なるグループに属するユーザが前記撮像装置を操作することができないように前記他のユーザまたは異なるグループに属するユーザの操作権限を無効にするための無効化コマンドを生成する権限変更手段と、
無効に設定された前記他のユーザまたは異なるグループに属するユーザの操作権限を、前記他のユーザまたは異なるグループに属するユーザが前記撮像装置を操作することが可能なように、前記他のユーザまたは異なるグループに属するユーザの操作権限を有効にするための有効化コマンドを生成する権限復帰手段と、
前記撮像装置を操作する際に、前記無効化コマンドを前記撮像装置に送信し、前記撮像装置を操作するための制御コマンドと認証情報とを前記撮像装置に送信し、前記撮像装置の操作が終了した後に、前記有効化コマンドを前記撮像装置に送信する送信手段と、を有することを特徴とする。
【手続補正７】
【補正対象書類名】明細書
【補正対象項目名】００２９
【補正方法】変更
【補正の内容】
【００２９】
自端末装置からのカメラ操作を図５のフローチャートの処理で実行した場合には、他の端末装置からのカメラ操作は、自端末装置からのカメラ操作によるカメラ操作が完了するまで無効にされる。まず、ステップＳ５０１において、自端末装置の制御リクエスト管理部３０２は、他の端末装置のユーザ２の各制御コマンドの権限を無効に設定するコマンド（無効化コマンド）を生成して、ネットワークカメラ１０１に送信する。ネットワークカメラ１０１は、自端末装置から送信されたコマンド（無効化コマンド）を受信すると、ネットワークカメラ１０１の権限管理部２０３は図６に示すユーザ２の各制御コマンドの権限を無効に設定する（第１の権限管理）。その後、ステップＳ５０２において、自端末装置におけるカメラ操作を実行する。
【手続補正８】
【補正対象書類名】明細書
【補正対象項目名】００６４
【補正方法】変更
【補正の内容】
【００６４】
ステップＳ１３０６において、第１実施形態から第３実施形態で説明した何れかの方法で示したフローチャート（図５）におけるカメラ操作の処理を実施する。